(57)【要約】【課題】  箱体と支持体の固定作業を容易に行え、かつ、箱体を安定した状態で固定できる箱体の固定構造の提供。【解決手段】    箱体（ＰＷＭユニット１）の下方側に凹部２を有する第１係止部３を設け、前記箱体を支持するための支持体（モータファンシュラウド６）に、前記凹部２と嵌合する凸部６ｃを有し、且つ、該支持体の内側へ弾性変形可能な舌片６ａと、第１係止部３を舌片６ａとの間で密着した状態で保持するための空間部Ｏ１を有する第１ホルダ部６ｂを設け、前記第１係止部３を舌片６ａに押圧させながら斜め上方から空間部Ｏ１に挿入して支持体の垂直面内で正立させることにより、箱体を第１ホルダ部３に密着させた状態で重力に対して支持させた。【選択図】        図１
2005045071.tif 000002
【特許請求の範囲】
【請求項１】
箱体の下方側に凹部を有する第１係止部を設け、
前記箱体を支持するための支持体に、前記凹部と嵌合する凸部を有し、且つ、該支持体の内側へ弾性変形可能な舌片と、
前記第１係止部を舌片との間で保持する第１ホルダ部を設け、
前記第１係止部を舌片に押圧させながら斜め上方から第１ホルダ部に挿入した後、箱体を支持体の垂直面内で正立させることにより、前記凹部と凸部を嵌合させた状態で箱体を重力に対して支持させたことを特徴とする箱体の固定構造。
【請求項２】
請求項１記載の箱体の固定構造において、
前記箱体の上方側に凹部を有する第２係止部を設け、
前記第２係止部に対応して支持体に、該第２係止部の凹部と嵌合する凸部と、
前記第２係止部に弾性変形して係止する爪部を有する第２ホルダ部を設けたことを特徴とする箱体の固定構造。
【請求項３】
請求項２記載の箱体の固定構造において、
前記凹部及び凸部同士を互いに嵌合する略円錐形状に形成したことを特徴とする箱体の固定構造。
【請求項４】
請求項１記載の箱体の固定構造において、
前記箱体の上方側に凹部を有する第３係止部を設け、
前記第３係止部に対応して支持体に、前記第３係止部の凹部と嵌合する凸部を有し、且つ、該支持体の内側へ弾性変形可能な舌片と、
前記第３係止部を舌片との間で保持する第３ホルダ部を設け、
前記第１ホルダ部及び第３ホルダ部の支持体の水平面内における一方側に開口部を形成し、
前記支持体の水平面内で傾斜させた状態の箱体の第１係止部を対応する舌片に押圧させながら斜め上方から第１ホルダ部に挿入して箱体を支持体の垂直面内で正立させた後、前記第３係止部を支持体の水平面内で回動させて第３ホルダ部の開口部を介して舌片に押圧させながら挿入することにより、前記第１係止部及び第３係止部の凹部をそれぞれ対応する凸部に嵌合させて箱体を重力に対して支持させたことを特徴とする箱体の固定構造。
【発明の詳細な説明】
【技術分野】
【０００１】
本発明は箱体を支持体に安定した状態で固定できる箱体の固定構造に関する。
【背景技術】
【０００２】
従来、箱体または支持体の一方に弾性変形する係止部を設けて、これら両者を凹凸係合させることにより固定する箱体の固定構造の技術が公知となっている（特許文献１参照）。
【特許文献１】実開平５−３８４０５号公報  （第１−３頁、第１図）
【発明の開示】
【発明が解決しようとする課題】
【０００３】
しかしながら、特許文献１記載の発明にあっては、箱体は安定した支持体に固定されることが前提となっており、箱体が垂直な状態で支持体に固定される場合や支持体が振動するような場合には凹凸係合では保持力が不足して箱体が振動してしまうという問題点がある。
【０００４】
本発明は、上記問題点に着目してなされたもので、その目的とするところは、箱体を支持体に容易な作業で安定した状態に固定できる箱体の固定構造を提供することにある。
【課題を解決するための手段】
【０００５】
請求項１記載の発明では、箱体の下方側に凹部を有する第１係止部を設け、前記箱体を支持するための支持体に、前記凹部と嵌合する凸部を有し、且つ、該支持体の内側へ弾性変形可能な舌片と、前記第１係止部を舌片との間で保持する第１ホルダ部を設け、前記第１係止部を舌片に押圧させながら斜め上方から第１ホルダ部に挿入した後、箱体を支持体の垂直面内で正立させることにより、前記凹部と凸部を嵌合させた状態で箱体を重力に対して支持させたことを特徴とする。
【０００６】
請求項２記載の発明では、請求項１記載の箱体の固定構造において、箱体の上方側に凹部を有する第２係止部を設け、前記第２係止部に対応して支持体に、該第２係止部の凹部と嵌合する凸部と、前記第２係止部に弾性変形して係止する爪部を有する第２ホルダ部を設けたことを特徴とする。
【０００７】
請求項３記載の発明では、請求項２記載の箱体の固定構造において、凹部及び凸部同士を互いに嵌合する略円錐形状に形成したことを特徴とする。
【０００８】
請求項４記載の発明では、請求項１記載の箱体の固定構造において、箱体の上方側に凹部を有する第３係止部を設け、前記第３係止部に対応して支持体に、前記第３係止部の凹部と嵌合する凸部を有し、且つ、該支持体の内側へ弾性変形可能な舌片と、前記第３係止部を舌片との間で保持する第３ホルダ部を設け、前記第１ホルダ部及び第３ホルダ部の支持体の水平面内における一方側に開口部を形成し、前記支持体の水平面内で傾斜させた状態の箱体の第１係止部を対応する舌片に押圧させながら斜め上方から第１ホルダ部に挿入して箱体を支持体の垂直面内で正立させた後、前記第３係止部を支持体の水平面内で回動させて第３ホルダ部の開口部を介して舌片に押圧させながら挿入することにより、前記第１係止部及び第３係止部の凹部をそれぞれ対応する凸部に嵌合させて箱体を重力に対して支持させたことを特徴とする。
【発明の効果】
【０００９】
請求項１記載の発明にあっては、第１係止部を舌片に押圧させながら斜め上方から第１ホルダ部に挿入した後、箱体を支持体の垂直面内で正立させるという簡便な作業で箱体を第１ホルダ部と舌片との間で密着した状態で保持させることができ、結果、支持体が振動した場合でも箱体を重力に対して安定した状態に保持させることができる。
【００１０】
また、前記第１係止部の凹部とホルダ部の凸部の嵌合によってこれら両者を固定する際の位置決めを容易にできると共に保持力を強化できる。
【００１１】
請求項２記載の発明にあっては、第２係止部に第２ホルダ部の爪部が係止することにより箱体をより安定した状態で保持させることができる。
【００１２】
また、第２係止部の凹部が凸部に嵌合することによって、これら両者を固定する際の位置決めを容易にできると共に保持力を強化できる。
【００１３】
請求項３記載の発明にあっては、凹部及び凸部同士を互いに嵌合する略円錐形状に形成したため、第２係止部の凹部を凸部に嵌合させる際に、これら両者の互いの中心位置が多少ずれていても互いに摺動しながら調芯作用が働いて該中心位置同士が一致し、箱体を支持体に精度良く固定することができる。
【００１４】
請求項４記載の発明にあっては、第１係止部を対応する舌片に押圧させながら斜め上方から第１ホルダ部に挿入して箱体を支持体の垂直面内で正立させた後、第３係止部を支持体の水平面内で回動させて対応する舌片に押圧させながら第３ホルダ部に挿入するという簡便な作業で箱体を支持体に固定することができ、箱体を支持体の水平面内で傾斜させた状態からの固定が可能となる。
【発明を実施するための最良の形態】
【００１５】
以下、本発明の箱体の固定構造の実施の形態を説明する。
本実施の形態では支持体を樹脂製のモータファンシュラウドに、箱体をＰＷＭユニットにそれぞれ適用した例について説明する。
【００１６】
<実施の形態１>
以下、本発明の実施の形態１を説明する。
図１は本発明の実施の形態の箱体の固定構造を示す断面図、図２、３は箱体の固定方法を説明する断面図である。
【００１７】
図１に示すように、箱体としてのＰＷＭユニット１は、全体が金属製で下方側には凹部２を有する第１係止部３が設けられ、上方側には略円錐形状の凹部４を有する第２係止部５が設けられている。
【００１８】
支持体としてのモータファンシュラウド６は、全体が樹脂製で前記第１係止部３と対応する位置に舌片６ａと第１ホルダ部６ｂが設けられている。
前記舌片６ａは前記凹部２に嵌合する凸部６ｃを有し、且つ、モータファンシュラウド６の内側（矢印方向）へ弾性変形可能に設けられている。
前記ホルダ部６ｂは舌片６ａに近接してＬ字型断面形状に突設され、該舌片６ａとの間に上方を除く三方が閉塞された空間Ｏ１が形成され、該空間Ｏ１の幅Ｗ１は第１係止部３と同一幅に形成されている。
【００１９】
モータファンシュラウド６の第２係止部５と対応する位置には、凹部４に嵌合する略円錐形状の凸部６ｄと第２ホルダ部６ｅが設けられている。
また、前記第２ホルダ部６ｅの先端には、前記凹部４と凸部６ｄが嵌合した際に第２係止部５に弾性変形して係止する爪部６ｆが設けられている。
【００２０】
以下、本実施の形態のＰＷＭユニット１（箱体）の固定方法について説明する。
ＰＷＭユニット１をモータファンシュラウド６に固定する際には、図２に示すように、ＰＷＭユニット１の第１係止部３を舌片６ａに押圧させながら空間部Ｏ１に斜め上方から挿入すると、舌片６ａがモータファンシュラウド６の内側に弾性変形して第１係止部３が空間Ｏ１内部へ進入するのを許容する。
【００２１】
次に、この状態から第１係止部３（ＰＷＭユニット１）をモータファンシュラウド６の垂直面内で正立させると、図３に示すように、ＰＷＭユニット１の下方では舌片６ａが弾性力によって元の位置に戻ると共に、第１係止部３の凹部２が舌片６ａの凸部６ｃに嵌合して位置決めされた状態となり、結果、第１係止部３が第１ホルダ部６ｂに完全に密着した状態で保持される。
【００２２】
また、ＰＷＭユニット１の上方では、前記凹部４と凸部６ｄとが嵌合した状態で爪部６ｆが第２係止部５に係止し、結果、第２係止部５が第２ホルダ部６ｅに保持される。
この際、ＰＷＭユニット１の重力に対する荷重は第１係止部３にかかるが、前述したように、第１係止部３は第１ホルダ部６ｂに完全に密着した状態となっているため、これら両者にがたつきが生じることはない。
【００２３】
また、前記凹部４と凸部６ｄは互いに嵌合する円錐形状に形成されているため、その中心位置が多少ずれていても互いに摺動して中心位置同士が一致するように調芯作用が働き、結果、ＰＷＭユニット１を精度良く固定することができる。
【００２４】
従って、本実施の形態の箱体（ＰＷＭユニット１）の固定構造にあっては、第１係止部３を空間部Ｏ１に斜め上方から挿入してモータファンシュラウド２の垂直面内で正立させるという簡便な作業でＰＷＭユニット１の第１係止部３を第１ホルダ部６ｂに、第２係止部５を第２ホルダ部６ｅにそれぞれ保持させることができ、ＰＷＭユニット１を精度良く安定した状態で固定することができる。
【００２５】
<実施の形態２>
以下、本発明の実施の形態２を説明する。
なお、本実施の形態の箱体の固定構造は、箱体としてのＰＷＭユニットを支持体としてのモータファンシュラウドの水平面内で傾斜させた状態から固定を行う場合に対応したものであり、前記実施の形態１と同一の構成部材については同一の符号を付してその説明は省略する。
図４は本発明の実施の形態２の箱体の固定構造を示す断面図、図５は本実施の形態のモータファンシュラウドの下方側を説明する斜視図、図６は本実施の形態のモータファンシュラウドの上方側を説明する斜視図、図７〜９は本実施の形態の箱体の固定方法を説明する断面図、図１０は本実施の形態の箱体の固定方法を説明する斜視図である。
【００２６】
図４、５に示すように、本実施の形態の第１ホルダ部６ｂにはモータファンシュラウド６の水平面内における一方側が他方側よりも大きく開口された開口部２０が形成されている。
また、舌片６ａはその先端が外側へ僅かに突出した状態に湾曲して形成され、その弾性力が強化されている。
【００２７】
図４、６に示すように、ＰＷＭユニット１の第３係止部２１は凹部２１ａが形成されると共に、該第３係止部２１と対応してモータファンシュラウド６には舌片２２と第３ホルダ部２３が設けられている。
前記舌片２２は凹部２１ａと嵌合する凸部２２ａと、ストッパ部２２ｂを有し、舌片６ａと同様にモータファンシュラウド６の内側へ弾性変形可能に設けられている。
前記第３ホルダ部２３は舌片２２に近接してＬ字型断面形状に突設され、該舌片２２との間に下方を除く三方が閉塞された空間Ｏ２が形成されており、支持体の水平面内における一方側は他方側よりも大きく開口された開口部２３ａが形成されている。
【００２８】
以下、本実施の形態のＰＷＭユニット１の固定方法について説明する。
ＰＷＭユニット１をモータファンシュラウド６に固定する際には、図７、１０（ａ）に示すように、ＰＷＭユニット１をモータファンシュラウド６の水平面内で傾斜させた状態で第１係止部３を開口部２０を介して舌片６ａに押圧させながら空間部Ｏ１に斜め上方から挿入すると、舌片６ａがモータファンシュラウド６の内側に弾性変形して第１係止部３が空間Ｏ１内部へ進入するのを許容する。
【００２９】
この状態から第１係止部３（ＰＷＭユニット１）をモータファンシュラウド６の垂直面内で正立させる（図８参照）。
【００３０】
次に、図１０（ｂ）に示すように、ＰＷＭユニット１を矢印方向にモータファンシュラウド６の水平面内で回動させると、図９、図１０（ｃ）に示すように、ＰＷＭユニット１の上方側では、第３係止部２１が第３ホルダ部２３の開口部２３ａを介して空間Ｏ２内に進入して舌片２２のストッパ部２２ｂを押圧しながら凹部２１ａと凸部２２ａが嵌合すると共に、前記第３ホルダ部２３のＬ字断面形状の先端及びストッパ部２２が第３係止部２１に係止し、結果、第３係止部２１が第３ホルダ部２３に保持される。
ＰＷＭユニット１の下方側では、第１係止部３の凹部２が舌片６ａの凸部６ｃに嵌合して位置決めされた状態で舌片６ａが第１係止部３を外側へ付勢した状態となり、結果、第１係止部３が第１ホルダ部６ｂに完全に密着した状態で保持される。
この際、ＰＷＭユニット１の重力に対する荷重は第１係止部３にかかるが、前述したように、第１係止部３は第１ホルダ部６ｂに完全に密着した状態となっているため、これら両者にがたつきが生じることはない。
また、ＰＷＭユニット１の第１ホルダ部６ｂにおける回動は開口部２０によって許容される。
【００３１】
従って、本実施の形態の箱体（ＰＷＭユニット１）の固定構造にあっては、第１係止部３を空間部Ｏ１に斜め上方から挿入してモータファンシュラウド６の垂直面内で正立させた後、第３係止部２１をモータファンシュラウド６の水平面内で回動させるという簡便な作業でもって第１係止部３を第１ホルダ部６ｂに、第３係止部２１を第３ホルダ部２３にそれぞれ保持させることができ、ＰＷＭユニット１をモータファンシュラウド６の水平面内において傾斜した状態から固定可能となる。
【００３２】
以上、本発明の実施の形態を説明してきたが、本発明の具体的構成は本実施の形態に限定されるものではなく、発明の要旨を逸脱しない範囲の設計変更などがあっても本発明に含まれる。
例えば、第１〜３係止部を複数設けて箱体（ＰＷＭユニット）を支持体（モータファンシュラウド）に固定するようにしても良い。
また、本実施の形態では箱体をＰＷＭユニットに、支持体をモータファンシュラウドに適用した例について説明したが、一般的な全ての箱体の固定構造に適用できることはいうまでもない。
【図面の簡単な説明】
【００３３】
【図１】本発明の実施の形態１の箱体の固定構造を示す断面図である。
【図２】本実施の形態の箱体の固定方法を説明する断面図である。
【図３】本実施の形態の箱体の固定方法を説明する断面図である。
【図４】本発明の実施の形態２の箱体の固定構造を示す断面図である。
【図５】本実施の形態のモータファンシュラウドの下方側の斜視図である。
【図６】本実施の形態のモータファンシュラウドの上方側の斜視図である。
【図７】本実施の形態の箱体の固定方法を説明する断面図である。
【図８】本実施の形態の箱体の固定方法を説明する断面図である。
【図９】本実施の形態の箱体の固定方法を説明する断面図である。
【図１０】本実施の形態の箱体の固定方法を説明する斜視図である。
【符号の説明】
【００３４】
Ｏ１、Ｏ２  空間
１  ＰＷＭユニット１
２、４、２１ａ  凹部
３  第１係止部
５  第２係止部
６  モータファンシュラウド
６ａ、２２  舌片
６ｂ  第１ホルダ部
６ｃ、６ｄ、２２ａ  凸部
６ｅ  第２ホルダ部
６ｆ  爪部
２０、２３ａ  開口部
２１  第３係止部
２２ｂ  ストッパ部
２３  第３ホルダ部
【図１】
2005045071.tif 000003
【図２】
2005045071.tif 000004
【図３】
2005045071.tif 000005
【図４】
2005045071.tif 000006
【図５】
2005045071.tif 000007
【図６】
2005045071.tif 000008
【図７】
2005045071.tif 000009
【図８】
2005045071.tif 000010
【図９】
2005045071.tif 000011
【図１０】
2005045071.tif 000012